(57)【要約】【課題】足元灯を設けない他の観覧席の側脚とのデザインの統一を図ることができるとともに、通路側に向う張出し部分が少なく、外観が良好で、通路上での歩行の妨げとなることがなく、しかも構成部品が少なく、着脱作業が容易な足元灯装置を提供する。【解決手段】側脚４に座席１側と通路側とを貫通する窓孔９を穿設し、この窓孔９内に足元灯本体１２を配設し、側脚４の座席１側に、窓孔９の全面を覆う閉塞部材１３を、また側脚４の通路側に、窓孔９の少なくとも上部を覆い、かつ下部に、足元灯本体１２から通路に向かう光が透過するようにした光透過部１４を有するカバー部材１５を、それぞれ着脱自在に設ける。【選択図】        図３
2004159711.tif 000002
【特許請求の範囲】
【請求項１】
観覧席の側脚に設けられ、前記観覧席の側方の通路に光を照射する観覧席の足元灯装置であって、
前記側脚に座席側と通路側とを貫通する窓孔を穿設し、この窓孔内に足元灯本体を配設し、前記側脚の座席側に、前記窓孔の全面を覆う閉塞部材を、また前記側脚の通路側に、前記窓孔の少なくとも上部を覆い、かつ下部に、前記足元灯本体から通路に向かう光が透過するようにした光透過部を有するカバー部材を、それぞれ着脱自在に設けたことを特徴とする観覧席の足元灯装置。
【請求項２】
閉塞部材とカバー部材とを、前記窓孔内に通した連結具により、互いに引き寄せる方向に締着して、前記側脚の両側面に固定した請求項１記載の観覧席の足元灯装置。
【請求項３】
連結具が、閉塞部材側から挿通され、かつカバー部材の内面に形成されたねじ孔に螺合するねじである請求項２記載の観覧席の足元灯装置。
【請求項４】
足元灯本体を、閉塞部材に固定した請求項１〜３のいずれかに記載の観覧席の足元灯装置。
【請求項５】
側脚の窓孔の周縁部に座席側に向かって突出するリブを設け、かつ閉塞部材に、前記リブの外周または内周に係合する位置決め用の係合部を設けた請求項１〜４のいずれかに記載の観覧席の足元灯装置。
【請求項６】
前後方向を向く通路に沿って複数列の観覧席を設けた劇場装置において、
少なくとも前記通路に面する複数の観覧席の側脚を、同一形状の窓孔を有するものとし、かついずれかの側脚の窓孔に足元灯本体を配設するとともに、前記側脚の座席側に、前記窓孔の全面を覆う閉塞部材を、また前記側脚の通路側に、前記窓孔の少なくとも上部を覆い、かつ下部に、前記足元灯本体から通路に向かう光が透過するようにした光透過部を有するカバー部材を、それぞれ着脱自在に設けたことを特徴とする劇場装置。
【発明の詳細な説明】
【０００１】
【発明の属する技術分野】
本発明は、劇場等の観覧席の側脚に設けられ、観覧席の側方の通路に光を照射する観覧席の足元灯装置、及びそれを用いた劇場装置に関する。
【０００２】
【従来の技術】
従来、観覧席の側方の通路に光を照射する観覧席の足元灯装置として、例えば座席の座を支持する左右１対の側脚のうち、通路側に配置された側脚の外側面に、箱型ケースを有する足元灯本体を取付けるとともに、上記側脚の内側面に電源箱を取付け、上記側脚に穿設した小径孔に、足元灯本体と電源箱との基板同士を連結する中空連結体と、その中空部を通る接続用配線とを挿通させるようにしたものが知られている（例えば特許文献１参照）。
【０００３】
また、別の従来技術として、例えば座席の肘掛を構成する側壁に孔を穿設し、その孔の内部に、ランプを内臓する直方体状の筐体を通路側から挿入して固定し、さらに側壁の外面にランプを覆うカバー部材を取付けた構成も知られている（例えば特許文献２参照）。
【０００４】
【特許文献１】
実開昭５５−１２０００８号公報（図１〜図３）
【特許文献２】
実公平３−２４１１０号公報（図１〜図３）
【０００５】
【発明が解決しようとする課題】
しかし、上述のような従来技術においては、側脚（側壁）の通路側の面に設けられる足元灯本体の箱型ケースやカバー部材が、通路側に向って比較的大きく張出す構成となっており、通路上の通行の妨げとなるだけでなく、足元灯を設けた側脚とそうでない側脚との外観が著しく異なり、デザイン上好ましくない。
【０００６】
また、足元灯本体およびカバー等の部品点数が多く、側脚等への取付け構成も複雑であり、据付け作業等にも多くの手間がかかり、作業性が悪い等の問題がある。
【０００７】
本発明は、従来の技術が有する上記のような問題点に鑑み、足元灯を設けない他の観覧席の側脚とのデザインの統一を図ることができるとともに、通路側に向かう張出し部分が少なく、外観が良好で、通路上での歩行の妨げとなることがなく、しかも構成部品が少なく、着脱作業が容易な観覧席の足元灯装置、及びそれを用いた劇場装置を提供することを目的としている。
【０００８】
【課題を解決するための手段】
本発明によると、上記課題は、次のようにして解決される。
（１）観覧席の側脚に設けられ、前記観覧席の側方の通路に光を照射する観覧席の足元灯装置において、前記側脚に座席側と通路側とを貫通する窓孔を穿設し、この窓孔内に足元灯本体を配設し、前記側脚の座席側に、前記窓孔の全面を覆う閉塞部材を、また前記側脚の通路側に、前記窓孔の少なくとも上部を覆い、かつ下部に、前記足元灯本体から通路に向かう光が透過するようにした光透過部を有するカバー部材を、それぞれ着脱自在に設ける。
【０００９】
（２）上記（１）項において、閉塞部材とカバー部材とを、前記窓孔内に通した連結具により、互いに引き寄せる方向に締着して、前記側脚の両側面に固定する。
【００１０】
（３）上記（２）項において、連結具を、閉塞部材側から挿通され、かつカバー部材の内面に形成されたねじ孔に螺合するねじとする。
【００１１】
（４）上記（１）〜（３）項のいずれかにおいて、足元灯本体を、閉塞部材に固定する。
【００１２】
（５）上記（１）〜（４）項のいずれかにおいて、側脚の窓孔の周縁部に座席側に向かって突出するリブを設け、かつ閉塞部材に、前記リブの外周または内周に係合する位置決め用の係合部を設ける。
【００１３】
（６）前後方向を向く通路に沿って複数列の観覧席を設けた劇場装置において、少なくとも前記通路に面する複数の観覧席の側脚を、同一形状の窓孔を有するものとし、かついずれかの側脚の窓孔に足元灯本体を配設するとともに、前記側脚の座席側に、前記窓孔の全面を覆う閉塞部材を、また前記側脚の通路側に、前記窓孔の少なくとも上部を覆い、かつ下部に、前記足元灯本体から通路に向かう光が透過するようにした光透過部を有するカバー部材を、それぞれ着脱自在に設ける。
【００１４】
【発明の実施の形態】
図１は、本発明の一実施形態を備える観覧席を示す斜視図である。
【００１５】
図１には一例として、３連座席からなる観覧席の構成を示している。
図１に示すように、この観覧席の各座席（１）は座（２）および背凭れ（３）をそれぞれ有し、両側端の座席（１）（１）の外側と、互いに隣接する座席（１）（１）の相互間とには、側脚（４）がそれぞれ１体ずつ配置されている。各側脚（４）は同一構造のものであり、床面（５）から肘掛（６）の高さまで立上る縦長の一枚の金属製の板材からなっている。各側脚（４）の下端は、台座（７）を介して床上に載置されており、また各側脚（４）の上端にはそれぞれ肘掛（６）が取付けられている。
【００１６】
このような３連式の多数の観覧席が、前後方向を向く通路（図示略）の一側方または両側方に、前後に並べ多列状に配設され、その前後に並ぶ複数の列のいずれかの列の最も通路側の側脚（４）に、足元灯装置（８）が装着されている。以下この通路側の側脚（４）に装着された足元灯装置（８）について説明する。
【００１７】
各側脚（４）の前後縁部および下端には、複数の曲線状の凹凸を形成した意匠が施されている。側脚（４）の上部、例えば座（２）の上方位置には、左右方向に貫通する上下方向に長い楕円形の窓孔（９）が形成されている。なお、側脚（４）の他の部位にも複数の窓孔を形成してもよい。
【００１８】
側脚（４）の前後および上下の縁部、並びに窓孔（９）の周縁部には、左右方向に突出する短寸のリブ（１０）（１１）が一体に形成されている。
【００１９】
図２〜図４に示すように、観覧席の足元灯装置（８）は、側脚（４）の窓孔（９）内に配置される足元灯本体（１２）と、側脚（４）の座席（１）側において窓孔（９）の全面を覆う閉塞部材（１３）と、側脚（４）の通路側において窓孔（９）の少なくとも上部を覆い、かつ下端部に光透過部（１４）を有するカバー部材（１５）とを備えている。
【００２０】
足元灯本体（１２）は、下端が開口する遮光性の筐体（１６）内に光源（１６ａ）を配置した構成のものであり、筐体（１６）は、側脚（４）の窓孔（９）に挿通し得る大きさ（例えば高さは窓孔（９）のほぼ１／２程度）である。筐体（１６）の左右方向の厚みは、例えば窓孔（９）の周縁より左右方向に突出するリブ（１１）の先端同士の間隔より少し大とするのが好ましい（図３参照）。
【００２１】
筐体（１６）の座席側の側面は平坦であり、通路側の側面は上部が緩やかに円弧状に湾曲する曲面とされている。この筐体（１６）は、下記のように閉塞部材（１３）に支持部材（１７）を介して固着され、側脚（４）の窓孔（９）内における通路側寄りの位置に配置されている。
【００２２】
閉塞部材（１３）は、側脚（４）における窓孔（９）の周縁部のリブ（１１）の外周縁とほぼ同一形状の輪郭を有する平坦な薄板状の閉塞部材本体部（１８）と、この閉塞部材本体部（１８）の周縁部の複数ヶ所から側脚（４）側に向って突出する係合部（１９）とからなっている。
【００２３】
すなわち、図３に示すように、閉塞部材本体部（１８）の上端の中央部に１個の上部係合部（１９ａ）が設けられ、また閉塞部材本体部（１８）の両側縁部にそれぞれ１個ずつの側部係合部（１９ｂ）が設けられている。各係合部（１９ａ）（１９ｂ）は、窓孔（９）の周縁に沿うリブ（１１）の上部外縁及び両側部外縁に係合し、これにより、閉塞部材（１３）は、窓孔（９）に対して位置決めされる。
【００２４】
閉塞部材本体部（１８）には、ほぼ中央位置に１対のねじ（２０）により一定長さの筒状の支持部材（１７）が取付けられ、この支持部材（１７）の先端に足元灯本体（１２）の筐体（１６）が連結されている。これにより閉塞部材本体部（１８）を側脚（４）の窓孔（９）のリブ（１１）に係合させて窓孔（９）を閉塞したとき、図２および図３に示すように、足元灯本体（１２）が窓孔（９）内における通路寄りの位置に位置決めされる。
【００２５】
また、閉塞部材本体部（１８）には、カバー部材（１５）との連結具である複数のねじ（２１）（２２）（２３）が取付け孔（２４）を介して座席側から挿通されている。これらのねじ（２１）（２２）（２３）は、閉塞部材本体部（１８）の頂部付近の中央位置と、閉塞部材本体部（１８）の両側下部とに配置されている。
【００２６】
閉塞部材本体部（１８）を側脚（４）の窓孔（９）のリブ（１１）に係合させて窓孔（９）を閉塞した後、各ねじ（２１）（２２）（２３）の先端が図３に示すように、窓孔（９）の通路側位置まで貫通し、カバー部材（１５）のねじ受け部（２５）（２６）（２７）に達する。
【００２７】
カバー部材（１５）は、図２および図３に示すように、側脚（４）における窓孔（９）の例えば上側ほぼ２／３程度の範囲を閉塞するものであり、通路側から見た場合に楕円の下部１／３程度を水平に切除したような形状とされている。また、カバー部材（１５）は側脚（４）より通路側に膨出した弧面形状とされており、この膨出部分により足元灯本体（１２）の筐体（１６）の通路側部分を覆う構成とされている。
【００２８】
この湾曲形状とされたカバー部材（１５）の上側端縁および両側端縁は、側脚（４）における窓孔（９）のリブ（１１）の通路側端面（１１ａ）に当接する設定とされている。
これにより、カバー部材（１５）を側脚（４）のリブ（１１）の通路側端面（１１ａ）に当接させたとき、足元灯本体（１２）の上側ほぼ２／３程度の範囲が閉塞されるため、その部分に対応する足元灯本体（１２）からの通路側への出射光は遮蔽される。
【００２９】
一方、カバー部材（１５）の下端部が下方に向かって開口しているので、この部分が透光部（１４）となり、足元灯本体（１２）からの光はカバー部材（１５）の下端側から通路下方に向って出射される。
【００３０】
カバー部材（１５）の内面側に、閉塞部材（１３）から貫通するねじ（２１）（２２）（２３）の位置に対応して、上述した３個のねじ受け部（２５）（２６）（２７）が形成されている。各ねじ受け部（２５）（２６）（２７）は、図４に示すように、柱状突起の中心位置に先端が開口したねじ孔（２５ａ）（２５ｂ）（２５ｃ）を形成したものである。
【００３１】
これらのねじ受け部（２５）（２６）（２７）は、図３に示すように、カバー部材（１５）を窓孔（９）のリブ（１１）の通路側端面に当接したとき、窓孔（９）の内方に入り込んだ状態となり、閉塞部材（１３）を貫通したねじ（２１）（２２）（２３）をこれらのねじ孔（２５ａ）（２６ａ）（２７ａ）に螺合させることができる。これにより、閉塞部材（１３）とカバー部材（１５）とを窓孔（９）内を通して互いに引き寄せ方向に連結し、側脚（４）の両面側に固定させることができる。
【００３２】
なお、図３および図４に示したように、カバー部材（１５）の上端に設けられたねじ受け部（２５）の上面とカバー部材（１５）の上端縁の間に段部を形成し、この段部を窓孔（９）のリブ（１１）の通路側端面（１１ａ）と内面（１１ｂ）とのなす角部に密接させることにより、カバー部材（１５）の位置決めが確実となり、かつ上方等への光の洩れを確実に防止することができる。
【００３３】
なお、本実施形態においては、図２および図３に示すように、電源箱（２８）が側脚（４）の反通路側（内側）位置の床下に配置されている。この電源箱（２８）から上向きに配管（２９）を介して配線（３０）が引出され、この配線（３０）は側脚（４）の内側に沿って足元灯本体（１２）の光源（１６ａ）に接続されている。
【００３４】
また、図３および図４に示すように、側脚（４）の上端には、肘掛（６）を固定装着するための凸縁（３１）が形成され、窓孔（９）の上下部には、座席（１）および背凭れ（３）等を支持するための支持部（３２）（３３）が形成されている。
【００３５】
以上の構成を有する本実施形態においては、足元灯装置（８）の取付けに際し、予め閉塞部材（１３）に足元灯本体（１２）を固定して両者を一体化しておき、この閉塞部材（１３）を側脚（４）の窓孔（９）部に座席側から接近させて足元灯本体（１２）を窓孔（９）内に挿入するとともに、閉塞部材（１３）を側脚（４）に当接させて係合部（１９）をリブ（１１）に係合させて位置決めし、一方、側脚（４）の窓孔（９）に通路側からカバー部材（１５）を対向して当接させ、連結具としてのねじ（２１）（２２）（２３）を、座席側から閉塞部材（１３）および窓孔（９）内を介してカバー部材（１５）のねじ受け部（２５）（２６）（２７）に挿通して螺着することにより、簡便な作業で側脚（４）に足元灯（８）を取付けることができる。
【００３６】
取付けられた足元灯装置（８）においては、足元灯本体（１２）の一部が側脚（４）の窓孔（９）内の空間に収容され、閉塞部材（１３）は側脚（４）の座席側の面に沿ってほぼ面一となる一方、カバー部材（１５）は側脚（４）の通路側に若干張出す程度のものに収まる。したがって、通路側および座席側への張出しが非常に少なく、外観が良好となるとともに通路上を歩行する客や座席（１）の利用客の邪魔になることが殆どない。
【００３７】
また、足元灯本体（１２）は側脚（４）から通路側に向って僅かに突出した配置として窓孔（９）内に収納されているので、カバー部材（１５）の下端開口から足元灯装置（８）としての所要の光照射を、確実かつ十分に得ることができる。
【００３８】
一方、主要な構成部品としては、薄い閉塞部材（１３）と、コンパクトな足元灯本体（１２）と、カバー部材（１５）とに大別され、部品点数が少なく、取付け構成の簡素化が図れられるとともに、据付け作業等に係る手間も少なくて済み、組立て作業性が大幅に向上できる。しかも、側脚（４）の通路側の面に何らの締付け具等が突出することがなく、意匠的効果を損なうこともなく、外観を良好に保持できるとともに、機械部品が通路側に配置されないため接触等による部材の破損や、通路を通る客が怪我等をするおそれが殆ど生じることもなく、安全性にも優れたものとなる。
【００３９】
さらに、足元灯装置（８）を設けた側脚（４）と、そうでない側脚とのデザインの統一を図ることができるとともに、１枚板構造の側脚（４）が座席（１）の左右方向に余分な幅を占めることがない。したがって、空間利用性が高いという特徴を失うことなく、最大限に活用した状態で足元灯装置を実現することができる。
【００４０】
以上の実施形態においては、足元灯本体（１２）を閉塞部材（１３）に固定支持させたが、逆にカバー部材（１５）に支持させることも可能である。
【００４１】
閉塞部材（１３）の位置決め用の係合部（１９）は、窓孔（９）の周縁部におけるリブ（１１）の外周側に係合させたが、リブ（１１）の内周側に係合させてもよい。さらに、係合部（１９）の係合箇所としては、その他の部位、例えば側脚（４）における窓孔（９）付近に形成される他の窓孔（図示省略）等を利用することも可能である。
【００４２】
本実施形態においては、側脚（４）の窓孔（９）にリブ（１１）を設けて閉塞部材（１３）を当該リブ（１１）に係合する構成としたが、リブ（１１）を設けない側脚（４）などの場合については窓孔（９）に直接係合させる等、種々の変更も可能である。
【００４３】
閉塞部材（１３）とカバー部材（１５）とを相互に引き寄せる連結具としては、ねじ（２１）（２２）（２３）による螺着以外に、スプリングの利用等、種々の手段に変更することも可能である。
【００４４】
さらに、上記実施形態では、カバー部材（１５）の下端開口をもって光透過部（１４）としたが、ここに透光板を設けたり、カバー部材（１５）の下端部を透明または半透明の材料により形成して、それを光透過部（１４）としてもよい。
【００４５】
【発明の効果】
請求項１記載の発明によれば、側部に設けた窓孔を利用して、足元灯本体を、閉塞部材とカバー部材とにより、側脚の両側から挾むようにして、側脚に簡単に取付けることができるとともに、通路側に向う張出し部分が少なく、外観が良好となるとともに通路上での歩行の邪魔になることもなく、しかも構成部品が少なく、据付け作業等に係る手間も少なく、作業性向上が図れる。
【００４６】
請求項２記載の発明によれば、閉塞部材と足元灯本体とカバー部材とを、側脚の窓孔部分に強固に固定することができる。
【００４７】
請求項３記載の発明によれば、閉塞部材とカバー部材とをねじ具による簡便な手段で側脚に容易かつ確実に固定することができる。
【００４８】
請求項４記載の発明によれば、予め足元灯本体を閉塞部に固定支持させておくことにより、側脚への設置時に閉塞部材とカバー部材との２種類の部材を締め付けるだけの能率よい作業が可能となる。
【００４９】
請求項５記載の発明によれば、リブの形成により側脚の強度向上が図れると同時に、リブを有効に利用して、閉塞部材が係合部を介して側脚の窓孔に対して容易かつ正確に位置決めされるので、設置時の作業が容易かつ確実に行なえる。
【００５０】
請求項６記載の発明によれば、足元灯を設けた観覧席の側脚と、設けない側脚とのデザインの統一を図ることができるとともに、足元灯を目立たなく取付けることができる。また、足元灯を取付ける側脚に特別な加工を施す必要がなく、いずれの側脚にも簡単に取付けることができるとともに、その付け替えも自由に行なうことができる。
【図面の簡単な説明】
【図１】本発明の一実施形態を備える観覧席の外観斜視図である。
【図２】同じく、側面図である。
【図３】図２のＡ−Ａ線に沿う縦断正面図である。
【図４】同じく、足元灯装置の要部構成を示す分解斜視図である。
【符号の説明】
（１）座席
（２）座席
（３）背凭れ
（４）側脚
（５）床面
（６）肘掛
（７）台座
（８）足元灯装置
（９）窓孔
（１０）リブ
（１１）リブ
（１２）足元灯本体
（１３）閉塞部材
（１４）透光部
（１５）カバー部材
（１６）筐体
（１６ａ）光源
（１７）支持部材
（１８）閉塞部材本体部
（１９）係合部
（１９ａ）上部係合部
（１９ｂ）側部係合部
（２０）ねじ
（２１）（２２）（２３）ねじ（連結具）
（２４）取付け孔
（２５）（２６）（２７）ねじ受け部
（２５ａ）（２５ｂ）（２５ｃ）ねじ孔
（２８）電源箱
（２９）配管
（３０）配線
（３１）凸縁
（３２）（３３）支持部
【図１】
2004159711.tif 000003
【図２】
2004159711.tif 000004
【図３】
2004159711.tif 000005
【図４】
2004159711.tif 000006